【手続補正書】
【提出日】平成16年7月16日(2004.7.16)
【手続補正１】
【補正対象書類名】明細書
【補正対象項目名】発明の名称
【補正方法】変更
【補正の内容】
【発明の名称】ネットワークプリンタシステム、ネットワークプリンタおよびホストコンピュータ
【手続補正２】
【補正対象書類名】明細書
【補正対象項目名】特許請求の範囲
【補正方法】変更
【補正の内容】
【特許請求の範囲】
【請求項１】
複数のネットワークプリンタとホストコンピュータとをネットワーク接続したネットワークプリンタシステムにおいて、
前記ホストコンピュータは管理する複数のネットワークプリンタをグループ化して登録する登録手段と、
該登録手段により登録された前記複数のネットワークプリンタに対して省エネモードに移行する指示を一括して行う指示手段を備え、
前記複数のネットワークプリンタは消費電力の少ない省エネモードを有し、前記指示手段からの指示に従って省エネモードに移行することを特徴とするネットワークプリンタシステム。
【請求項２】
前記登録手段で登録されたグループ毎に一括して省エネモード移行を開始する時刻を設定する時刻設定手段を備え、
該時刻設定手段により設定された時刻に前記指示手段が一括して指示を出すことで省エネモードに移行することを特徴とする請求項１記載のネットワークプリンタシステム。
【請求項３】
前記指示手段が電源断を行う指示も出し、前記複数のネットワークプリンタは前記省エネモードに移行する指示により省エネモードに移行した後、前記電源断を行う指示により電源断を行うことを特徴とする請求項１または請求項２記載のネットワークプリンタシステム。
【請求項４】
複数のネットワークプリンタとホストコンピュータとをネットワーク接続したネットワークプリンタシステムに使用されるネットワークプリンタにおいて、
消費電力の少ない省エネモードを有し、
前記ネットワークプリンタをグループ化して登録する登録手段と、
該登録手段により登録されたネットワークプリンタに対し省エネモードに移行する指示を一括して行う指示手段を備えるホストコンピュータからの指示に従って省エネモードに移行することを特徴とするネットワークプリンタ。
【請求項５】
前記登録手段で登録されたグループ毎に一括して省エネモード移行を開始する時刻を設定する時刻設定手段と、
該時刻設定手段により設定された時刻に前記指示手段が一括して指示を出すホストコンピュータからの指示に従い省エネモードに移行することを特徴とする請求項４記載のネットワークプリンタ。
【請求項６】
前記指示手段が電源断を行う指示も出すホストコンピュータからの指示により省エネモードに移行した後、前記電源断を行う指示により電源断を行うことを特徴とする請求項４または請求項５記載のネットワークプリンタ。
【請求項７】
複数のネットワークプリンタとホストコンピュータとをネットワーク接続したネットワークプリンタシステムに使用されるホストコンピュータにおいて、
管理する前記複数のネットワークプリンタをグループ化して登録する登録手段と、
該登録手段により登録された前記複数のネットワークプリンタに対し省エネモードに移行する指示を一括して行う指示手段を備えることを特徴とするホストコンピュータ。
【請求項８】
前記登録手段で登録されたグループ毎に省エネモード移行を開始する時刻を設定する時刻設定手段を備え、
該時刻設定手段により設定された時刻に、前記指示手段が指示を出すことを特徴とする請求項７記載のホストコンピュータ。
【請求項９】
前記指示手段が電源断を行う指示も出し、前記指示手段からの指示により前記複数のネットワークプリンタを省エネモードに移行させた後、前記電源断を行う指示により前記複数のネットワークプリンタに電源断を行わせることを特徴とする請求項７または請求項８記載のホストコンピュータ。
【手続補正３】
【補正対象書類名】明細書
【補正対象項目名】０００５
【補正方法】変更
【補正の内容】
【０００５】
そこで、本発明の第１の目的は、省エネモードへの移行をグループ化して一斉に行えることで、より効率的な省エネが行えるネットワークプリンタシステム、ネットワークプリンタまたはホストコンピュータを提供することである。
本発明の第２の目的は、あらかじめ指示時刻を設定することにより管理者の負担を軽減することができるネットワークプリンタシステム、ネットワークプリンタまたはホストコンピュータを提供することである。
本発明の第３の目的は、電源の切り忘れなどを確実に防止することができ、より省エネを徹底することができるネットワークプリンタシステム、ネットワークプリンタまたはホストコンピュータを提供することである。
【手続補正４】
【補正対象書類名】明細書
【補正対象項目名】０００６
【補正方法】変更
【補正の内容】
【０００６】
【課題を解決するための手段】
請求項１記載の発明では、複数のネットワークプリンタとホストコンピュータとをネットワーク接続したネットワークプリンタシステムにおいて、前記ホストコンピュータは管理する複数のネットワークプリンタをグループ化して登録する登録手段と、該登録手段により登録された前記複数のネットワークプリンタに対して省エネモードに移行する指示を一括して行う指示手段を備え、前記複数のネットワークプリンタは消費電力の少ない省エネモードを有し、前記指示手段からの指示に従って省エネモードに移行することにより、前記第１の目的を達成する。
【手続補正５】
【補正対象書類名】明細書
【補正対象項目名】０００７
【補正方法】変更
【補正の内容】
【０００７】
請求項２記載の発明では、請求項１記載の発明において、前記登録手段で登録されたグループ毎に一括して省エネモード移行を開始する時刻を設定する時刻設定手段を備え、該時刻設定手段により設定された時刻に前記指示手段が一括して指示を出すことで省エネモードに移行することにより、前記第２の目的を達成する。
【手続補正６】
【補正対象書類名】明細書
【補正対象項目名】０００８
【補正方法】変更
【補正の内容】
【０００８】
請求項３記載の発明では、請求項１または請求項２記載の発明において、前記指示手段が電源断を行う指示も出し、前記複数のネットワークプリンタは前記省エネモードに移行する指示により省エネモードに移行した後、前記電源断を行う指示により電源断を行うことにより、前記第３の目的を達成する。
請求項４記載の発明では、複数のネットワークプリンタとホストコンピュータとをネットワーク接続したネットワークプリンタシステムに使用されるネットワークプリンタにおいて、消費電力の少ない省エネモードを有し、ネットワークプリンタをグループ化して登録する登録手段と、該登録手段により登録されたネットワークプリンタに対し省エネモードに移行する指示を一括して行う指示手段を備えるホストコンピュータからの指示に従って省エネモードに移行することにより、前記第１の目的を達成する。
請求項５記載の発明では、請求項４記載の発明において、前記登録手段で登録されたグループ毎に一括して省エネモード移行を開始する時刻を設定する時刻設定手段と、該時刻設定手段により設定された時刻に前記指示手段が一括して指示を出すホストコンピュータからの指示に従い省エネモードに移行することにより、前記第２の目的を達成する。
請求項６記載の発明では、請求項４または請求項５記載の発明において、前記指示手段が電源断を行う指示も出すホストコンピュータからの指示により省エネモードに移行した後、前記電源断を行う指示により電源断を行うことにより、前記第３の目的を達成する。
請求項７記載の発明では、複数のネットワークプリンタとホストコンピュータとをネットワーク接続したネットワークプリンタシステムに使用されるホストコンピュータにおいて、管理する前記複数のネットワークプリンタをグループ化して登録する登録手段と、該登録手段により登録された前記複数のネットワークプリンタに対し省エネモードに移行する指示を一括して行う指示手段を備えることで、前記第１の目的を達成する。
請求項８記載の発明では、請求項７記載の発明において、前記登録手段で登録されたグループ毎に省エネモード移行を開始する時刻を設定する時刻設定手段を備え、該時刻設定手段により設定された時刻に、前記指示手段が指示を出すことにより、前記第２の目的を達成する。
請求項９記載の発明では、請求項７または請求項８記載の発明において、前記指示手段が電源断を行う指示も出し、前記指示手段からの指示により前記複数のネットワークプリンタを省エネモードに移行させた後、前記電源断を行う指示により前記複数のネットワークプリンタに電源断を行わせることにより、前記第３の目的を達成する。
【手続補正７】
【補正対象書類名】明細書
【補正対象項目名】００１５
【補正方法】変更
【補正の内容】
【００１５】
【発明の効果】
請求項１、請求項４および請求項７記載の発明では、ホストコンピュータからグループ化した複数のプリンタに対し省エネモードに移行できることにより、ある特定のグループのプリンタに対し個々にプリンタまで行き設定すること無く一括して電力消費を抑えプリ
ンタの一元管理を効率的に行うことができる。
請求項２、請求項５および請求項８記載の発明では、時刻設定手段により、指示時刻を設定することにより管理者の負担を軽減でき、且つ登録されたグループに応じた対応が可能となる。
請求項３、請求項６および請求項９記載の発明では、省エネモードに移行した後、電源断の指示に従って電源断を行うことにより確実に省エネを達成することができる。